(57)【要約】【課題】厨芥処理装置の投入口蓋の開閉をロックするキーロック装置について、キーロック装置からキーを脱着可能とし、管理者が厨芥処理装置を安全に使用できることを達成する。【解決手段】投入口蓋によって開閉される厨芥の投入口を有する収容槽にその内部に収容した厨芥を加熱する加熱手段と攪拌する攪拌手段を備えて、投入蓋を閉じたとき投入蓋をキーによりロックするキーロック装置を装置本体に組付けると共にキーロック装置のロック状態とアンロック状態を検出するロック検出手段を設けて、キーロック装置のロック状態をロック検出手段が検出した状態で、加熱手段または攪拌手段を作動可能な状態にする制御手段を設けた厨芥処理装置において、加熱手段または攪拌手段が作動している状態で、キーロック装置からキーが脱着可能である。【選択図】図１
2004033895.tif 000002
【特許請求の範囲】
【請求項１】
投入口蓋によって開閉される厨芥の投入口を有する収容槽にその内部に収容した厨芥を加熱する加熱手段と攪拌する攪拌手段を備えて、該投入蓋を閉じたとき該投入蓋をキーによりロックするキーロック装置を装置本体に組付けると共に該キーロック装置のロック状態とアンロック状態を検出するロック検出手段を設けて、該キーロック装置のロック状態を該ロック検出手段が検出した状態で、該加熱手段または該攪拌手段を作動可能な状態にする制御手段を設けた厨芥処理装置において、該加熱手段または該攪拌手段が作動している状態で、該キーが該キーロック装置から脱着可能であることを特徴とする厨芥処理装置。
【請求項２】
前記キーロック装置がロック状態で、前記加熱手段または前記攪拌手段が作動してから所定時間経過後は、該加熱手段または該攪拌手段の作動を停止させるタイマーを備えたことを特徴とする請求項１に記載の厨芥処理装置。
【発明の詳細な説明】
【０００１】
【発明の属する技術分野】本発明は、一般家庭やレストラン等の厨房から出される生ゴミ、殻類等の混在する厨芥を、加熱乾燥や微生物等により発酵させながら攪拌させることにより、厨芥を減量させるための厨芥処理装置に関する。
【０００２】
【従来の技術】この種の厨芥処理装置の一つとして、投入口蓋によって開閉される投入口を有する収容槽を備えるとともに、この収容槽に入れた厨芥を加熱させる加熱手段と撹拌させる撹拌手段を備えて、前記加熱手段と前記撹拌手段の各作動が制御装置によって制御されるようにしたものがあり、例えば特開平８−７５３５５号公報に示されている。
【０００３】
【発明が解決しようとする課題】上記した公報の厨芥処理装置においては、乾燥処理運転中に投入口蓋がロック機構により閉保持されるようになっていて、これにより安全性が確保されてはいるものの、乾燥処理運転中に当該厨芥処理装置の使用管理者以外の人（当該厨芥処理装置が屋外設置式である場合には、不特定の人）がキーを操作しロック機構を外して投入口蓋が自由に開閉可能であって、厨芥及び厨芥以外のものを収容槽に入れるのを防ぐことができず、当該厨芥処理装置の使用管理が十分に行えないことがあった。
【０００４】
【課題を解決するための手段】本発明は、上記した問題に対処するため、投入口蓋によって開閉される厨芥の投入口を有する収容槽にその内部に収容した厨芥を加熱する加熱手段と攪拌する攪拌手段を備えて、該投入蓋を閉じたとき該投入蓋をキーによりロックするキーロック装置を装置本体に組付けると共に該キーロック装置のロック状態とアンロック状態を検出するロック検出手段を設けて、該キーロック装置のロック状態を該ロック検出手段が検出した状態で、該加熱手段または該攪拌手段を作動可能な状態にする制御手段を設けた厨芥処理装置において、該加熱手段または該攪拌手段が作動している状態で、該キーが該キーロック装置から脱着可能であることを特徴とする厨芥処理装置を提供するものである。
【０００５】
【発明の作用・効果】本発明による厨芥処理装置においては、投入口蓋によって開閉される厨芥の投入口を有する収容槽にその内部に収容した厨芥を加熱する加熱手段と攪拌する攪拌手段を備えて、投入蓋を閉じたとき投入蓋をキーによりロックするキーロック装置を装置本体に組付けるとともにキーロック装置のロック状態とアンロック状態を検出するロック検出手段を設けて、キーロック装置のロック状態をロック検出手段が検出した状態で、加熱手段または攪拌手段を作動可能な状態にする制御手段を設けた厨芥処理装置において、加熱手段または攪拌手段が作動している状態で、キーロック装置からキーが脱着可能であることによって、当該厨芥処理装置は作動を開始後、使用管理者がキーロック装置からキーを外してその場を離れても、第三者が投入蓋を開けて不審物を投入する等の不正使用をすることがない。従って、キーを持った使用管理者のみが当該厨芥処理装置を安全に使用できて、使用管理を十分に行うことができる。
また、タイマーを備えて当該厨芥処理装置を自動で停止させることができるので、当該厨芥処理装の置場に使用管理者が常に居合わせる必要がない。
【０００６】
【発明の実施の形態】以下に、本発明の一実施形態を図面に基づいて説明する。図１及び図２は本発明による厨芥処理装置の外観を示し、また図３及び図４は本発明による厨芥処理装置の外装パネルを外した内部構成を示していて、この厨芥処理装置は、図３及び図４に詳細に示したように、収容槽１０と撹拌部材２０と回転駆動装置３０を備えるとともに、熱風循環装置４０と排気装置５０を備えており、収容槽１０内に入れられる厨芥（図示省略）が撹拌されるとともに加熱乾燥されるように構成されている。
【０００７】収容槽１０は、前面上部の縦壁に矩形の投入口１１ａを有するとともに前面中間部の縦壁に矩形の排出口１１ｂを有して底部１１ｃが断面半円形状に形成された槽本体１１と、この槽本体１１の投入口１１ａを開閉可能に密閉する投入口蓋１２と、槽本体１１の排出口１１ｂを開閉可能に密閉する排出口蓋１３を備えていて、フレーム９０に一体的に組付けられている。
【０００８】槽本体１１は、その底部１１ｃの外側に、制御装置１００（図１の右上方隅部に設けた制御ボックス６０内に組付けられていて、その一部が図７に示されている）によって作動を制御される電熱ヒータ１５が蛇行状に取付けられるとともに、槽本体１１の温度を検出する温度センサ１９（このセンサからの信号に基づいて検出温度が上限設定温度１３０℃に上昇したとき開き下限設定温度１２７℃に下降したとき閉じる常閉接点１０１が図７に示したように電熱ヒータ１５の通電回路に介装されている）が取付けられていて、外側全体が断熱材（図示省略）によって被覆されており、この断熱材によって熱の放散防止が図られている。また、槽本体１１の投入口１１ａと排出口１１ｂは、その図３左右方向幅が槽本体１１の図３左右方向幅と略等しくされており、排出口１１ｂに対応してホッパー１６とカバー１７と容器１８が配設されている。
【０００９】投入口蓋１２は、図１〜図４に示したように、下端にてブラケット８１を介して槽本体１１に傾動可能に組付けられていて、上端外側にはバーハンドル１２ａが取付けられ、また内側には図４に示したように厨芥の投入時に厨芥を収容槽１０内に導くシュート１２ｂが取付けられている。また、投入口蓋１２は図１に示したように、キーロック装置７０のシリンダ錠７１がキー２００によってロック状態とされると、キーロック装置７０のロックプレート７２が投入口蓋１２に係合して投入口蓋１２が開放不能になるとともにロック検出スイッチ１０２（図７も参照）が閉じ、またシリンダ錠７１がキー２００によってアンロック状態（図１の状態から反時計方向に９０度回転された状態）とされると、ロックプレート７２が投入口蓋１２と非係合となって投入口蓋１２が開放可能になるとともにロック検出スイッチ１０２が開くようになっている。
なお、キーロック装置１７０のロック状態では、キーロック装置１７０のキー２００は、使用管理者によりキーロック装置１７０から取り外し可能な構造になっている。
【００１０】排出口蓋１３は、カバー１７に設けた円弧状の貫通長孔１７ａに沿って移動される操作レバー１４によって開閉されるようになっていて、操作レバー１４が貫通長孔１７ａの下端にある場合には収容槽１０内から厨芥によって外側に押動されても閉状態に保持されて開かないようにされるとともに、操作レバー１４が貫通長孔１７ａに沿って上動されることにより開かれるように構成されている。
なお、排出口蓋１３の開閉状態はドアスイッチ１０３（図７参照）によって検出可能となっていて、排出口蓋１３が開いている状態ではドアスイッチ１０３が開き、排出口蓋１３が閉じている状態ではドアスイッチ１０３が閉じるようになっている。
【００１１】ホッパー１６は、これを覆うカバー１７とによって排出口１１ｂから容器１８に加熱乾燥後の厨芥を導くためのものであって、カバー１７とともに槽本体１１に固着されている。容器１８は、加熱乾燥後の厨芥を収容するものであって、上端に開口を有していて、図４に示したように下端にてフレーム９０に傾動可能に組付けられており、内部には市販のごみ袋（図示省略）が脱着可能に組付けられるようになっている。
【００１２】撹拌部材２０は、収容槽１０の槽本体１１に左右一対の軸支装置２９を介して回転自在に組付けられて槽本体１１を貫通する回転軸２１と、この回転軸２１に一端にて固着されて径方向に延びる６本の連結棒２２と、これら各連結棒２２の先端に固着されて一体的に回転する６枚の羽根２３によって構成されていて、回転駆動装置３０により収容槽１０の底部半円形内壁に沿って回転駆動されるようになっている。
【００１３】各羽根２３は、図３に示したようにそれぞれ横長の板であり、回転軌跡が軸方向において一部重合するようになっている。各軸支装置２９は、回転軸２１を回転自在かつ軸方向移動不能に支承するスラスト軸受及びラジアル軸受（共に図示省略）と、回転軸２１と槽本体１１間からの厨芥及び内気（蒸気を含む空気）の漏れを防止するシール部材（図示省略）等によって構成されている。
【００１４】回転駆動装置３０は、減速機及びブレーキ付で正逆回転可能な電動モータ３１と、この電動モータ３１の出力軸に一体的に組付けた駆動スプロケット３２と、撹拌部材２０における回転軸２１の槽本体１１外に突出した右端に一体的に組付けた従動スプロケット３３と、両スプロケット３２，３３を繋ぐチェーン３４によって構成されていて、電動モータ３１の作動は図７に示したように制御装置１００によって制御されるようになっている。
【００１５】熱風循環装置４０は、収容槽１０内の空気を熱風（図３及び図４に幅広の矢印にて示した）として送風循環させるものであり、槽本体１１内の上端背面側に設けた還流ダクト４１と、この還流ダクト４１内に配設した熱風循環ファン４２と、槽本体１１の右側上部外側に取付けられて熱風循環ファン４２を回転駆動させる電動モータ４３と、還流ダクト４１の下面前方に取付けた誘導板４４と、この誘導板４４と槽本体１１の背壁間に配設した電熱ヒータ４５と、この電熱ヒータ４５によって加熱された熱風の温度を検出する温度センサ４６（このセンサからの信号に基づいて検出温度が上限設定温度１３０℃に上昇したとき開き下限設定温度１２７℃に下降したとき閉じる常閉接点１０４が図７に示したように電熱ヒータ４５の通電回路に介装されている）とを備えていて、電動モータ４３と電熱ヒータ４５の各作動は図７に示したように制御装置１００によって制御されるようになっている。
【００１６】還流ダクト４１は、左右方向に長い形状に形成されていて、前面上部に左右方向に長い流入口４１ａを有するとともに下面後方に左右方向に長い流出口４１ｂを有しており、右側前面下部には吸気ダクト４７が一体的に組付けられている。熱風循環ファン４２は、電動モータ４３によって図４の矢印にて示した時計方向に回転されるラインクロスフローファンであり、前側から吸い込んで下方に吐き出すようになっている。
【００１７】電動モータ４３は、図６に示したように上方から見てコ字状に形成されたブラケット８３を介して槽本体１１に組付けられていて、その出力軸４３ａは熱風循環ファン４２の駆動軸４２ａ（還流ダクト４１に軸支されている）にトルク伝達可能に嵌合連結されている。なお、出力軸４３ａには、電動モータ本体を空冷するためのファン４３ｂ，４３ｃが一体的に取付けられていて、各ファン４３ｂ，４３ｃが出力軸４３ａによって回転されるときには図３の右から左に外気が流れるようになっている。また、外気はファン４３ｃの図３右側に配設される外装パネルに設けた通気孔（共に図示省略）を通して流入するようになっている。
【００１８】誘導板４４は、図３に示したように左右方向に長い板であって、図３及び図４にて示したように還流ダクト４１の流出口４１ｂから下方に吐き出されて電熱ヒータ４５によって加熱される内気を槽本体１１の底部１１ｃ後方に導くとともに、槽本体１１の底部１１ｃ前方から上方に向けて流れる内気を上方に導くものであり、還流ダクト４１の下面前方に略垂直に取付けられている。
【００１９】吸気ダクト４７は、熱風循環ファン４２の吸入側に収容槽１０外の外気を導くための吸気通路Ａを形成するものであり、収容槽１０の槽本体１１自体に設けた貫通孔１１ｄが吸気通路Ａの吸気開口となるように構成されている。貫通孔１１ｄは、熱風循環ファン４２の駆動軸４２ａが非接触で貫通する孔であり、熱風循環ファン４２の回転駆動時には電動モータ４３の周囲を通して図３の矢印にて示したように流れる外気が流入するようになっている。なお、外気の流入量を十分に確保する必要が場合には、上記貫通孔１１ｄ自体を大径とするか、図５に示したように、貫通孔１１ｄの周囲に仮想線にて示した貫通孔１１ｅを設けて実施する。この場合、貫通孔１１ｅに合わせて開閉シャッター（図示省略）を設けることも可能である。
【００２０】排気装置５０は、槽本体１１の上方に設けた排気ダクト５１と、この排気ダクト５１の中間部に設けた排気ファン（図示省略）と、この排気ファンを排気ダクト５１外から回転駆動する電動モータ５２と、排気ダクト５１の排気ファンより排出側に設けたそれ自体周知の触媒式脱臭装置５３を備えていて、図７に示したように電動モータ５２の作動と触媒式脱臭装置５３における触媒加熱用電熱ヒータ５３ａの各作動は制御装置１００によって制御されるようになっている。排気ダクト５１は、槽本体１１の左側前方上端にて収容槽１０内に連通していて、収容槽１０内の内気の一部を排気ファンと脱臭装置５３を通して大気中に放出可能となっている。
【００２１】図７に示した制御装置１００の一部は、上述した常閉接点１０１，１０４とロック検出スイッチ１０２とドアスイッチ１０３を備えるとともに、ロック検出スイッチ１０２に直列接続したリレー１０５と、ドアスイッチ１０３に直列接続したリレー１０６と、図１の制御ボックス６０内に設けた起動スイッチ１０７と、この起動スイッチ１０７に直列接続したリレー１０８と、このリレー１０８に直列接続した停止スイッチ１０９と、乾燥完了時間を設定するためのタイマー１１０と、触媒加熱用電熱ヒータ５３ａに直列接続されて同電熱ヒータ５３ａによって加熱された触媒の温度を検出する温度センサ（図示省略）からの信号に基づいて検出温度が上限設定温度３００℃に上昇したとき開き下限設定温度２８０℃に下降したとき閉じる常閉接点１１１を備えている。
【００２２】また、リレー１０５，１０６，１０８の常開接点１０５ａ，１０６ａ，１０８ａ１が電熱ヒータ１５，電動モータ３１，電動モータ４３，電熱ヒータ４５及びタイマー１１０の通電回路に直列接続され、リレー１０８の常開接点１０８ａ２が起動スイッチ１０７に並列でタイマー１１０の常閉接点１１０ｂ（タイマーの計時時間が設定時間になると開く接点）に直列接続され、リレー１０８の常開接点１０８ａ３が電動モータ５２及び電熱ヒータ５３ａの通電回路に直列接続されている。
【００２３】上記のように構成した本実施形態においては、排出口蓋１３が閉じられている状態にて、投入口蓋１２を開けて所定量の厨芥を収容槽１０内に入れ、投入口蓋１２を閉じるとともに管理者が管理保持するキー２００を用いてキーロック装置７０をアンロック状態からロック状態として起動スイッチ１０７を押動操作すると、図７に示した全てのリレー１０５，１０６，１０８が通電されて各常開接点１０５ａ，１０６ａ，１０８ａ１，１０８ａ２，１０８ａ３が閉じるため、制御装置１００の制御下にて電熱ヒータ１５，４５，５３ａが通電されるとともに、電動モータ３１，４３，５２が起動され、またタイマー１１０が起動されて計時を開始する。したがって、収容槽１０の底部１１ｃが電熱ヒータ１５により外側から加熱され、収容槽１０内の内気が電熱ヒータ４５によって加熱され、脱臭装置５３の触媒（図示省略）が電熱ヒータ５３ａにて加熱されるとともに、電動モータ３１によって撹拌部材２０が回転駆動され、電動モータ４３によって熱風循環ファン４２が回転駆動され、電動モータ５２によって排気ファンが回転駆動される。
【００２４】このため、収容槽１０内の厨芥に向けて熱風が吹き付けられて循環するとともに、熱風循環ファン４２に還流する熱風に吸気通路Ａを通して外気が加わると同時に、熱風循環ファン４２に還流する熱風の一部が排気ダクト５１と排気ファンと脱臭装置５３を通して大気に放出される（図３及び図４の矢印参照）。また、厨芥が収容槽１０の底部１１ｃによって下方から加熱乾燥されるとともに、熱風によって上方から加熱乾燥され、厨芥から生じた水蒸気は熱風の流れをキャリアとして上方へ移動して熱風の一部とともに排気ダクト５１と排気ファンと脱臭装置５３を通して大気に排出される。したがって、排気装置５０にて脱臭排気がなされる状態で厨芥の乾燥処理運転が開始する。
【００２５】ところで、上記した起動スイッチ１０７の押動操作時に、キーロック装置７０がアンロック状態とされているかまたは排出口蓋１３が開いていると、ロック検出スイッチ１０２またはドアスイッチ１０３が開いていて、各リレー１０５，１０６に通電がなされず、各常開接点１０５ａ，１０６ａによって電熱ヒータ１５，４５及び電動モータ３１，４３並びにタイマー１１０に通電がなされない。このため、排気装置５０を起動させることができるものの、厨芥の乾燥処理運転を開始させることができない。
なお、キーロック装置７０がアンロック状態からロック状態とされるとともに排出口蓋１３が閉じられると、ロック検出スイッチ１０２及びドアスイッチ１０３が閉じて、各リレー１０５，１０６が通電されるため、電熱ヒータ１５，４５と電動モータ３１，４３とタイマー１１０が通電され、排気装置５０にて脱臭排気がなされる状態で厨芥の乾燥処理運転が開始する。
【００２６】上記した厨芥の乾燥処理運転は、その開始後の経過時間がタイマー１１０の設定時間に達するまで継続し、その間には、収容槽１０の底部１１ｃの加熱温度及び厨芥に向けて吹き付けられる熱風の温度がそれぞれ略１２７〜１３０℃（厨芥中に油分や樹脂、ビニール類が含まれていることを考慮して設定した温度範囲）に維持されるとともに、脱臭装置５３の触媒の温度が略２８０〜３００℃（触媒が有効に機能する温度範囲）に維持される。
なお、乾燥処理運転開始後の経過時間がタイマー１１０の設定時間に達すると、タイマー１１０の常閉接点１１０ｂが開いてリレー１０８への通電が遮断され、これによってリレー１０８の常開接点１０８ａ１，１０８ａ２，１０８ａ３が開いて、電熱ヒータ１５，４５，５３ａと、電動モータ３１，４３，５２と、タイマー１１０への通電が遮断され、脱臭排気及び厨芥の乾燥処理運転が完了するとともに、タイマー１１０がリセットされる。
従って、厨芥処理装置の使用管理者が用事があって、キー２００を外して所持したまま厨芥処理装置の設置場所から離れても、厨芥処理装置は作動状態を保つことができ、加熱手段や攪拌手段等が作動開始してから所定時間経過後は、使用管理者がキーロック装置を操作しなくても厨芥処理装置の作動を停止させることができる。
【００２７】また、上述したようにして脱臭排気及び厨芥の乾燥処理運転が完了した後に、排出口蓋１３を開けた状態で排出スイッチ（図示省略）を押動操作すれば、図７には示されていない別の通電回路にて電動モータ３１が通電されて、撹拌部材２０が図４の時計方向に連続的に回転されるため、収容槽１０内にある加熱乾燥処理後の厨芥が、撹拌部材２０の羽根２３によって排出口１１ｂに向けて持ち上げられるとともに、一部は羽根２３から底部１１ｃに落下するものの残部は羽根２３から排出口１１ｂに向けて滑落して、排出口１１ｂを通して収容槽１０外に自動的に排出され、ホッパー１６を通して容器１８内に収容される。
なお、投入口蓋１２が開いている状態或いは容器１８が所定の位置にセットされていない状態（図示しない各スイッチにて検出される）では排出スイッチを押動操作しても回転駆動装置３０が起動しないように構成されるとともに、上記した排出スイッチの押動操作をやめると、撹拌部材２０が停止するように構成されている。また、容器１８内に収容された加熱乾燥処理後の厨芥は、容器１８を図４の仮想線にて示したように傾動した状態にてごみ袋とともに取り出して適宜に処理することができる
また、当該厨芥処理装置は作動を開始後、使用管理者がキーを外してその場を離れに、第三者が投入蓋を開けて不審物等を投入処理することはできない。
【００２８】ところで、本実施形態においては、収容槽１０の投入口１１ａが投入口蓋１２によって閉じられるとともにキー２００によりキーロック装置７０がアンロック状態からロック状態とされ、また排出口１１ｂが排出口蓋１３によって閉じられた状態で、起動スイッチ１０７の押動操作によって電熱ヒータ１５，４５，５３ａ及び電動モータ３１，４３，５２が作動状態とされることにより、収容槽１０に入れた厨芥が撹拌部材２０により撹拌されるとともに電熱ヒータ１５及び熱風循環装置４０により加熱乾燥され、また収容槽１０内の内気の一部が排気装置５０によって脱臭されて収容槽１０外に排出される。
したがって、収容槽１０内に入れた厨芥を効率よく、しかも悪臭を外部に放出することなく加熱乾燥処理することができる。
なお、作動状態をキー２００によりキーロック装置７０がアンロック状態からロック状態とされた場合に、乾燥処理の種類を選択する操作手段によっては、起動スイッチ１０７の押動操作によって、電熱ヒータ１５，４５，５３ａの全て、あるいは、いずれかを作動させ、厨芥を加熱処理させるか、または、電動モータ３１，４３，５２を作動させ、攪拌処理させるかを選択することもできる。
【００２９】また、本実施形態においては、上記した厨芥の乾燥処理運転中に例えば厨芥の追加投入のためにキー２００を用いてキーロック装置７０をロック状態からアンロック状態として投入口蓋１２を開けると、投入口蓋１２の開放動作に先だって図７に示したロック検出スイッチ１０２が開いてリレー１０５の常開接点１０５ａが開くため、電熱ヒータ１５，４５及び電動モータ３１，４３の各作動が停止され、厨芥から臭気発生を促す各作動、すなわち電熱ヒータ１５による加熱作動、撹拌部材２０により撹拌作動、及び熱風循環装置４０による加熱・送風作動が全て停止する。したがって、当該装置の乾燥処理運転時における安全性が確保できる。
【００３０】また、本実施形態においては、厨芥処理装置が作動中は、使用管理者が、厨芥処理装置の設置場所から、所要で離れても、停止スイッチ１０９、または、ドアスイッチ１０３により、強制停止することができないので、安全に使用できる。
【００３１】上記実施形態においては、熱風循環装置４０が電熱ヒータ４５を備える構成としたが、槽本体１１の底部１１ｃを加熱する電熱ヒータ１５によって収容槽１０内の空気も十分に加熱されて熱風となる場合には、熱風循環装置４０の電熱ヒータ４５を無くして実施することも可能である。
【００３２】また、上記実施形態においては、キーロック装置７０のロックプレート７２が投入口蓋１２の上部中央に係合することにより投入口蓋１２が開放不能に固定されるように構成したが、上記キーロック装置７０に代えて図８〜図１２にて示したキーロック装置１７０を採用し、このキーロック装置１７０のロックピン１７２が投入口蓋１２の右側上部の貫通孔１２ｃに係合するとともに、ロックシャフト１７３が投入口蓋１２の左側上部の貫通孔１２ｄを貫通してフレーム９０に設けた係合孔９０ａに係合することにより、投入口蓋１２が開放不能に固定されるように構成して実施することも可能である。
【００３３】図８〜図１２に示したキーロック装置１７０は、キー２００によって回転されるシリンダ錠１７１と、このシリンダ錠１７１と一体的に回転するロックレバー１７４及び円板１７５と、この円板１７５の回転をロックピン１７２の軸方向移動に変換して伝達する揺動レバー１７６と、ロックピン１７２を軸方向へ摺動可能に支持するピンガイド１７７と、投入口蓋１２に組付けられてロックピン１７２によってスプリング１７８に抗して押動されるロックシャフト１７３を備えていて、シリンダ錠１７１、揺動レバー１７６、ピンガイド１７７等はフレーム９０に組付けたケース１７９に組付けられている。
【００３４】このキーロック装置１７０においては、シリンダ錠１７１がキー２００によってロック状態にされると、ロックレバー１７４が回動して、図８の破線に示したように制御ボックス６０の操作部カバー６１を閉止状態にて開放不能に固定するとともに、円板１７５の図１０の反時計方向への回転及び揺動レバー１７６の仮想線位置への揺動によりロックピン１７２が左方向へ移動して、投入口蓋１２に設けた貫通孔１２ｃを貫通し、ロックシャフト１７３をスプリング１７８に抗して押動する。これにより、ロックシャフト１７３が貫通孔１２ｄを貫通してフレーム９０の係合孔９０ａに係合する。また、ロックピン１７２の左方向への移動時には、ロックピン１７２の右端に固着したスイッチプレート１７２ａが一体的に移動して左動停止端にてロック検出スイッチ１０２を閉じる。
なお、図１２等で示すキーロック装置１７０のロック状態では、図９の点線で示すキー２００のように、使用管理者によってキーロック装置１７０からキー２００が、矢印のように、取り外しができるようになっている。
【００３５】このように、図８〜図１２に示したキーロック装置１７０においては、１つのキー２００で投入口蓋１２の左右２箇所を容易にかつガタつきなく的確にロックすることができると同時に、制御ボックスの操作部カバー６１をもロックできてキー２００を持つ管理者以外が運転モードを変更するのを防止できる。
【００３６】なお、図８〜図１２に示した実施形態においては、ロックピン１７２の左端とロックシャフト１７３の左端を共にストレート形状にするとともに、投入口蓋１２を閉じた状態にてピンガイド１７７のピン支持孔１７７ａとフレーム９０の係合孔９０ａ及び投入口蓋１２の両貫通孔１２ｃ，１２ｄが同一軸線上に位置するようにしたが、図１３に示したように、ロックピン１７２の左端をテーパ形状とし、かつ図示省略のロックシャフト１７３の左端をロックピン１７２の左端とは逆テーパ形状とするとともに、投入口蓋１２を閉じた状態にてピンガイド１７７のピン支持孔１７７ａとフレーム９０の係合孔９０ａの軸中心線Ｌ１を投入口蓋１２の両貫通孔１２ｃ，１２ｄの軸中心線Ｌ２に対して所定量δ収容槽１０側に偏位して設けて実施することも可能である。
この場合には、キー２００操作によってロックピン１７２が投入口蓋１２の貫通孔１２ｃに嵌入するときに、ロックピン１７２の左端テーパ面が貫通孔１２ｃをすべって係合するとともに、ロックシャフト１７３の左端がフレーム９０の係合孔９０ａをすべって係合し、両軸中心線Ｌ１，Ｌ２が一致するまで投入口蓋１２が押動される。このため、投入口蓋１２に設けたパッキン１２ｅが投入口１１ａの開口周縁に強く押しつけられ、同部位のシール性が向上する。
【図面の簡単な説明】
【図１】本発明による厨芥処理装置の一実施形態を示す正面図
【図２】図１に示した厨芥処理装置の右側面図
【図３】図１及び図２に示した厨芥処理装置の内部構成を示した部分破断正面図
【図４】図３に示した厨芥処理装置の部分破断右側面図
【図５】図３の５−５線に沿った断面図
【図６】図５の６−６線に沿った断面図
【図７】図１に示した厨芥処理装置が備える制御装置の一部を示す電気回路図
【図８】キーロック装置の他の実施形態を示す正面図
【図９】図８に示したキーロック装置の主要構成を示す縦断側面図
【図１０】図９の１０−１０線に沿った断面図
【図１１】投入口蓋、ロックピン、ピンガイド、ロックシャフト、スプリング及びフレームの係合孔のアンロック状態での関係を概略的に示す正面図
【図１２】投入口蓋、ロックピン、ピンガイド、ロックシャフト、スプリング及びフレームの係合孔のロック状態での関係を概略的に示す正面図
【図１３】図８〜図１２に示したキーロック装置の変形実施形態を概略的に示す横断平面図である。
【符号の説明】
１０…収容槽、１１…槽本体、１１ａ…投入口、１１ｂ…排出口、１１ｃ…底部、１１ｄ…貫通孔（吸気開口）、１２…投入口蓋、１３…排出口蓋、１５…電熱ヒータ（加熱手段）、２０…撹拌部材、２１…回転軸、２２…連結棒、２３…羽根、３０…回転駆動装置、３１…電動モータ（撹拌手段）、４０…熱風循環装置、４１…還流ダクト、４２…熱風循環ファン、４３…電動モータ、４５…電熱ヒータ、４７…吸気ダクト、５０…排気装置、５２…排気ファン用電動モータ、５３ａ…触媒加熱用電熱ヒータ、７０，１７０…キーロック装置、１００…制御装置、１０２…ロック検出スイッチ、１０５…リレー、１０５ａ…常開接点、２００…キー
【図１】
2004033895.tif 000003
【図２】
2004033895.tif 000004
【図３】
2004033895.tif 000005
【図４】
2004033895.tif 000006
【図５】
2004033895.tif 000007
【図６】
2004033895.tif 000008
【図７】
2004033895.tif 000009
【図８】
2004033895.tif 000010
【図９】
2004033895.tif 000011
【図１０】
2004033895.tif 000012
【図１１】
2004033895.tif 000013
【図１２】
2004033895.tif 000014
【図１３】
2004033895.tif 000015